(57)【要約】【目的】  切断刃の構造を単純化するとともに紙パックの側面部を確実に切断できるような紙パック切断器を提供する。【構成】  紙パックＰ内に挿入されてそれを切断位置に保持する紙パック保持体４を備え、この紙パック保持体４に対して側面切断刃１１と底面切断刃１２を備えた切断刃支持体６を回動自在に取付け、各切断刃１１、１２を紙パックＰの上から紙パック保持体４の受け空隙７、９に押込んで紙パックＰの側面と底面の３辺をカットする。【選択図】  図２
2005211193.tif 000002
【特許請求の範囲】
【請求項１】
角筒状の紙パックの開口部を通して紙パックを切断位置に保持する紙パック保持体と、この紙パック保持体に支持された紙パックの側面部と紙パックの底面の３辺を切断する切断刃を移動自在に支持する切断刃支持体とを備え、
前記紙パック保持体は、紙パックの側面部に対応する位置に側面部の切断刃を受入れる第１空隙と、紙パックの底面の３辺の切断刃を受入れる第２空隙とを備えていることを特徴とする紙パック切断器。
【請求項２】
前記紙パック保持体は角筒状をなし、前記紙パック保持体の側面部の切断刃を受入れる第１空隙は、角筒状の側面部の折曲部に沿って形成されたスリットであり、前記紙パックの底面の３辺の切断刃を受入れる第２空隙は、紙パックの底面に対向する底面受け板の３辺が開口している空間であることを特徴とする請求項１に記載の紙パック切断器。
【請求項３】
前記切断刃支持体は、前記パック保持体に対して回動自在に設けられ、紙パック切断時に前記第１空隙に押込まれる長手方向に伸びる側面切断刃と、この側面切断刃の一端部から直交して伸び紙パック切断時に第２空隙に押込まれる底面部切断刃とを備えていることを特徴とする請求項１又は２に記載の紙パック切断器。  
【発明の詳細な説明】
【技術分野】
【０００１】
本発明は、牛乳、清涼飲料、ジュース等の角筒状の紙パックを切り開くための紙パック切断器に関する。
【背景技術】
【０００２】
従来、牛乳、清涼飲料、酒、ジュース、液体調味料等が紙パックに収納されて販売されているが、リサイクルのために使用後にハサミで切り開いて展開して捨てなければならない。
【０００３】
そのため、紙パックの展開が煩雑であり、短時間で紙パックの展開処理を行なうものとして特許文献１がある。
【０００４】
ここに開示された紙パック切断器は、内ケース７と外ケース２とを備え、この外ケース２の入口付近に切断刃を有し、内ケース７に紙パックを挿入した後に外ケースを内ケースに嵌め込みつつ、紙パックの側面部を切断刃の一部で切断しながら、切断刃を紙パックの底面に送り込み、その位置に達したときに前記切断刃で紙パックの底辺の３辺を切断するものである。
【特許文献１】特開平５−２６１６９３号
【発明の開示】
【発明が解決しようとする課題】
【０００５】
しかしながら、かかる紙パック切断器においては、外ケース２内に収納される切断刃の形状が複雑であり、その製造に手間がかかるばかりでなく内ケース７に外ケース２を嵌め込みながら切断刃の一部で紙パックの側面部を切断しながら切断刃を紙パックの底辺に送り込むようにしているので切断刃の一部の紙パックの側面部への接触度合いによっては、紙パックの側面部が完全に切断できないという欠点がある。
【課題を解決するための手段】
【０００６】
そこで、本発明は角筒状の紙パックの開口部を通して紙パックを切断位置に保持する紙パック保持体と、この紙パック保持体に支持された紙パックの側面部と紙パックの底面の３辺を切断する切断刃を移動自在に支持する切断刃支持体とを備え、
前記紙パック保持体は、紙パックの側面部に対応する位置に側面部の切断刃を受入れる第１空隙と、紙パックの底面の３辺の切断刃を受入れる第２空隙とを備えていることを特徴とする。
【発明の効果】
【０００７】
このように構成することにより、切断刃は２つの部分からなる単純構成であり、しかもその製造が容易であるばかりでなく、紙パックの側面部を外側から内側に押込まれる切断刃の動作によって確実に切断することができる。
【発明を実施するための最良の形態】
【０００８】
以下、図面を参照して本発明の実施態様について説明する。
【０００９】
図１、２において、本発明の紙パック切断器Ｍ1は、基台１を備え、この基台１上には、空隙２を介して角筒状の紙パックＰの開口部３を通して紙パックＰが外嵌する角筒状の紙パック保持体４の基部が固定されている。この紙パック保持体４の基部にはヒンジ５を介して切断刃支持体６が回動自在に取付けられている。
【００１０】
前記紙パック保持体４は紙パックの側面部の折曲線に沿って第１空隙７が設けられ、また、この第１空隙７の先端にそれと直交する方向に伸び、紙パックＰを紙パック保持体４に被せた場合に紙パックＰの底面Ｐｂに対面する底面受け板８と側面間に形成される第２空隙９が設けられ、この第２空隙９の3辺が開口してその底面９ａが閉じられている。
【００１１】
前記切断刃支持体６は、断面コ字状のフレーム１０と、このフレーム１０の長手方向端板の一方に取付けられた側面切断刃１１と、この先端から直交して伸び前記フレーム１０の先端の端板に取付けられた底面切断刃１２を有している。
【００１２】
前記側面切断刃１１は切断刃支持体６の回動に伴って紙パックの開口部３から順次底面側に側面部を切断できるように第１空隙７に押込まれるように傾斜刃面１１ａを有しており、前記底面切断刃１２は、紙パックの底面８のコ字状の３辺を切断できるようにその下端に凹んだ刃面１２ａを有している。
【００１３】
本紙パック切断器Ｍ１を使用するときには、紙パックＰの開口部３を通してそれを図１に示すように紙パック保持体４に外嵌せしめ、その底面部Ｐｂが紙パック保持体４に底面受け板８に接触するまで押込んで紙パックＰを切断位置にセットする。この状態で切断刃支持体６を下側に回動せしめる。このとき、側面切断刃１１はスリット状の空隙７に紙パックの側面を開口３から底面に向かって漸いに切断しながら押込まれ、次いで底面切断刃１２が紙パックの底面Ｐｂの３辺を切断しながら第２空隙９内に押し込まれる。こうして図３に示すように紙パックが展開でき、同一の展開形状が確保される。
【００１４】
なお、前記第１空隙はスリットである必要はなく角柱状の側面に形成された溝であってもよく、第２空隙もコ字状に形成された溝であってもよく、この場合各切断刃はこの溝に対応した形状となる。
【００１５】
次に、他の実施例について説明する。
【００１６】
他の実施例である紙パック切断器Ｍ２は、前述と同様の紙パック保持器４を備えているが、切断刃支持体の構造が異なっている。図１、２のタイプはホッチキス（登録商標）型に切断刃支持体６が紙パック保持体に付着されているが、図４、５に示すものはパンチ型に形成されている。図４に示す切断刃支持体２０は、支持体２１の長辺に弦状の側面切断刃２２を有し、その短辺には前述と同様の底面切断刃２３を有しており、基板１の側辺に設けられた支持バー２４、２４によって回動自在に基板１に取付けられている。
【００１７】
図５に示す紙パック切断器Ｍ３の切断刃支持体３０は基板１の側辺に垂設された支柱３１、３１を有し、この支柱３１に対して支持板３２が回動自在に設けられ、この支持板３２の長辺に側面切断刃３３が、その短辺に底面切断刃３４が設けられている。
【００１８】
以上示した実施例においては、切断刃支持体は回動自在に形成されているが、水平に配置された紙パック保持体に対して上下方向に移動されるようにしてもよい。
【図面の簡単な説明】
【００１９】
【図１】本発明のホッチキス（登録商標）型の紙パック切断器の正面図である。
【図２】図１に示した紙パック切断器の斜視図である。
【図３】本発明の紙パック切断器により展開された紙パックの展開図である。
【図４】本発明の他の実施例を示す紙パック切断器の斜視図である。
【図５】本発明の更に他の実施例を示す紙パック切断器の斜視図である。
【符号の説明】
【００２０】
１…基板
４…紙パック保持体
６…切断刃支持体
１１…側面切断刃
１２…底面切断刃
【図１】
2005211193.tif 000003
【図２】
2005211193.tif 000004
【図３】
2005211193.tif 000005
【図４】
2005211193.tif 000006
【図５】
2005211193.tif 000007